(57)【要約】【課題】  本発明は、ＣＧＩ（Common Gateway Interface）やサーブレットを用いずに、静的コンテンツのみでＷｅｂ（World Wide Web）ブラウザにおけるブックマーク機能からの直接アクセスを無効化する技術を提供する。【解決手段】  ウエブサイトにおける対象ページへの直接的なリンクを無効にするブックマークの無効化制御方法であって、サーバ内のフォルダに格納された前記対象ページのファイルを一時ファイルとしてコピーする一時ファイル作成ステップと、前記一時ファイルにおいて、リンク元ページ中のハイパーリンクとリンク先の対象ファイル名を一定時間ごとに変更するリンク変更ステップと、その変更された前記一時ファイルをフォルダに戻して対象ファイルの置き換えを行うファイル置換ステップと、を有することを特徴とするブックマークの無効化制御方法。【選択図】図１
2006058978.tif 000002
【特許請求の範囲】
【請求項１】
ウエブサイトにおける対象ページへの直接的なリンクを無効にするブックマークの無効化制御方法であって、
サーバ内のフォルダに格納された前記対象ページのファイルをコピーして一時ファイルを作成する一時ファイル作成ステップと、
前記一時ファイルにおいて、リンク元ページ中のハイパーリンクとリンク先の対象ファイル名を一定時間ごとに変更するリンク変更ステップと、
その変更された前記一時ファイルをフォルダに戻して対象ファイルの置き換えを行うファイル置換ステップと、
を有することを特徴とするブックマークの無効化制御方法。
【請求項２】
前記リンク変更ステップは、前記対象ページの閲覧要求に対し、リンク元ページ中のハイパーリンクの対象として２次リンクを介在させ、この２次リンクページ中のハイパーリンクと前記対象ページのファイル名称とを一定時間ごとに変更することを特徴とする請求項１に記載のブックマークの無効化制御方法。
【請求項３】
前記リンク変更ステップにおける対象ファイル名の変更は、一定時間ごとにスクリプト起動時の日時情報を対象ファイル名に組み入れて変更することを特徴とする請求項１または２に記載のブックマークの無効化制御方法。
【請求項４】
ウエブサイトにおける対象ページへの直接的なリンクを無効にするブックマークの無効化制御プログラムであって、
コンピュータに、
サーバ内のフォルダに格納された前記対象ページのファイルをコピーして一時ファイルを作成する一時ファイル作成ステップと、
前記一時ファイルにおいて、リンク元ページ中のハイパーリンクとリンク先の対象ファイル名を一定時間ごとに変更するリンク変更ステップと、
その変更された前記一時ファイルをフォルダに戻して対象ファイルの置き換えを行うファイル置換ステップと、
を実行させるブックマークの無効化制御プログラム。
【請求項５】
ウエブサイトにおける対象ページへの直接的なリンクを無効にするブックマークの無効化制御装置であって、
サーバ内のフォルダに格納された前記対象ページのファイルをコピーして一時ファイルを作成する一時ファイル作成手段と、
前記一時ファイルにおいて、リンク元ページ中のハイパーリンクとリンク先の対象ファイル名を一定時間ごとに変更するリンク変更手段と、
その変更された前記一時ファイルをフォルダに戻して対象ファイルの置き換えを行うファイル置換手段と、
を有することを特徴とするブックマークの無効化制御装置。
【発明の詳細な説明】
【技術分野】
【０００１】
本発明は、ＣＧＩ（Common Gateway Interface）やサーブレットを用いずに、静的コンテンツのみでＷｅｂ（World Wide Web）ブラウザにおけるブックマーク機能からの直接アクセスを無効化する技術に関する。
【背景技術】
【０００２】
Ｗｅｂブラウザにおいて、一度参照したページのＵＲＬ（Uniform Resource Locator) をブックマークに登録した場合、直接、登録したページを参照できる機能が備わっている。このため、サイト作成側が特定ページを経由してのみ参照させる意図でページを作成しても、本意図に従わずに閲覧することが可能となってしまう。
【０００３】
上記問題を解決する手段として、従来では、ＣＧＩ、サーブレット等を用いて、Ｗｅｂブラウザ、Ｗｅｂサーバ間で情報を連携し、制御する方式が一般的に利用されている（例えば、特許文献１）。
【０００４】
しかしながら、ＣＧＩ、サーブレット等を用いるこれまでの方式では、以下の問題が存在する。１）ＣＧＩやサーブレットの作成が必要であり、かつ関連するソフトウェアも必要となり、構築費用、期間が多くなる、２）利用者からのリクエスト毎にＷｅｂサーバ側でチェックを行うため、応答時間が長く、かつサーバ側の負荷が高くなる等の問題を抱えている。
【特許文献１】特開２００２−３１２２２９号公報
【発明の開示】
【発明が解決しようとする課題】
【０００５】
Ｗｅｂサイトにおいて、ブックマーク（お気に入り）による対象ページへの直接的なリンクを抑止するため、ＣＧＩやサーブレットを用いず、静的コンテンツのみで、Web ブラウザにおけるブックマーク機能からの直接アクセスを無効にする技術を提供する。
【課題を解決するための手段】
【０００６】
第一の発明は、ウエブサイトにおける対象ページへの直接的なリンクを無効にするブックマークの無効化制御方法であって、サーバ内のフォルダに格納された前記対象ページのファイルをコピーして一時ファイルを作成する一時ファイル作成ステップと、前記一時ファイルにおいて、リンク元ページ中のハイパーリンクとリンク先の対象ファイル名を一定時間ごとに変更するリンク変更ステップと、その変更された前記一時ファイルをフォルダに戻して対象ファイルの置き換えを行うファイル置換ステップと、を有することを特徴とするブックマークの無効化制御方法に関する。
【０００７】
すなわち、第一の発明によれば、一時ファイル作成手段が、サーバ内のフォルダに格納された前記対象ページのファイルをコピーして一時ファイルを用意し、リンク変更手段が、その一時ファイルを使って、直接アクセスしようとする対象ページについて、リンク元ページ内のハイパーリンクとリンク先の対象ファイルのファイル名を一定時間ごとに変更をかけ、ファイル置換手段が、その変更された前記一時ファイルをフォルダに戻して対象ファイルの置き換えを行うことで、利用者によるブックマークを使っての対象ページへの直接アクセスを抑止することができる。
【０００８】
これによって、ＣＧＩやサーブレットのような大掛かりな仕組みによらなくても簡便な構成によってブックマークの無効化が実現でき、Ｗｅｂサーバの構築費用を少なくでき、短期間での構築を可能とさせる。
【０００９】
第二の発明は、前記リンク変更ステップは、前記対象ページの閲覧要求に対し、リンク元ページ中のハイパーリンクの対象として２次リンクを介在させ、この２次リンクページ中のハイパーリンクと前記対象ページのファイル名称とを一定時間ごとに変更することを特徴とする上記第一の発明に記載のブックマークの無効化制御方法に関する。
【００１０】
すなわち、第二の発明によれば、リンク変更手段が、リンク元ページのハイパーリンク先に中継ページを介在させ、その中継ページ内のハイパーリンクと対象ページのファイル名を変更させるため、リンク元ページを開いたままのＷｅｂサイト閲覧者が一定時間後に操作した場合、目的のページは、常に中継ページからリンクされるため、ブックマーク等により直接対象ページを参照しようとした閲覧者はエラーとなるが、最初のリンク元からの要求であるため、一定時間経過後も常に正しいリンクが成立することとなり、ユーザに利便性を与える効果を生ずる。
【００１１】
第三の発明は、前記リンク変更ステップにおける対象ファイル名の変更は、一定時間ごとにスクリプト起動時の日時情報を対象ファイル名に組み入れて変更することを特徴とする上記第一あるいは第二の発明に記載のブックマークの無効化制御方法に関する。
【００１２】
すなわち、第三の発明によれば、対象ファイル名の変更は、リンク変更手段が、スクリプト起動時の日時情報を取得し、それをファイル名に付加あるいは更新する処理を一定時間ごとに自動的に変更処理させる。
【発明の効果】
【００１３】
上記してきた本発明によれば、
１）ＣＧＩ、サーブレットを作成せずに、事実上、ブックマークを無効とできる。
２）Ｗｅｂサーバ構築の費用負担を軽減させ、短期間での構築を可能とさせる。
３）リクエスト毎にチェックする必要がなくなる、応答時間を短かくすることができ、かつサーバ負荷を低く抑えることが可能となる。
【００１４】
などの効果が期待できる。
【発明を実施するための最良の形態】
【００１５】
以下、図面にもとづいて本発明の実施形態を説明する。
【００１６】
図１は、本発明の基本システム構成を示す。図は、本願のブックマークの無効化制御方法、プログラム、およびその装置を実現するＷｅｂサイトの検索利用システムを示す。
【００１７】
インターネット３を介して互いに接続するＷｅｂサイトを管理するサーバ１とサイト閲覧者が利用するクライアント２とで構成される。
【００１８】
サーバ１は、図示していないが、ＣＰＵ（Central Processing Unit ）、ＲＯＭ（Read Only Memory）、ＲＡＭ（Random Access Memory）、及び送受信手段を備え、それらがバスで接続されたコンピュータであり、クライアント２からの閲覧要求を受けてＷｅｂサイトを検索し、その検索結果を返すＷｅｂサーバとしての機能を有する。
【００１９】
また、サーバ１は、利用者がクライアント２側に登録したブックマークを使って、直接対象ページにアクセスして閲覧するのを抑制するためのブックマークの無効化制御プログラム１０を備える。
【００２０】
さらに、ブックマークの無効化制御プログラム１０は、サーバ内フォルダに格納された対象ページのファイルをコピーし一時ファイルを作成する一時ファイル作成部１１、リンク元ページ内のハイパーリンクとリンク先の対象ページのファイル名を変更するリンク変更部１２、およびその変更された一時ファイルをフォルダに戻して対象ファイルを置き換えるファイル置換部１３の処理部で構成されている。
【００２１】
ブックマークによる直接アクセスを抑制する本無効化制御プログラム１０は、コンピュータであるサーバ１にあらかじめ内蔵され、上記各処理が実行される。
【００２２】
なお、これら当該プログラムは、フレキシブルディスク、コンパクトディスク、ＲＯＭ等のコンピュータ読み取り可能な記録媒体に記録され、また、とくに、図には示していないが、内蔵あるいは外部接続された媒体読取装置にセットし、インストールすることによって実行可能な状態としてもよい。
【００２３】
つぎに、図２、図３を用いて、本発明の動作原理を説明する。
【００２４】
図２は、本発明の実施の形態になるブックマーク無効化制御方式（その１）の動作原理を示す。
Ｓ１：サーバ１は、インターネット３を介し、クライアント２のサイト閲覧者からの「ＡＡＡ」ページに対する閲覧要求を受けてサーバ１内フォルダから該当ページを検索し、当該「ＡＡＡ」ページを応答する。
Ｓ２：クライアント２のサイト閲覧者は、サーバ１から送信された「ＡＡＡ」ページをダウンロードしてブラウザによって画面に表示させる。
Ｓ３：その「ＡＡＡ」ページ中に張られた「ＢＢＢ」ページへのリンクをマウスでクリックすることよって、サーバ１に「ＢＢＢ」ページを閲覧要求する。
Ｓ４：それを受けて、サーバ１は、サーバ１内フォルダから該当ページを検索し、当該「ＢＢＢ」ページを応答する。
Ｓ５：クライアント２のサイト閲覧者は、送信された「ＢＢＢ」ページを画面に表示し、ブックマークとして自端末に登録する。
【００２５】
以上が、クライアント／サーバ間でＷｅｂページを要求／応答し、サイト閲覧者によってブックマークに登録されるまでの処理プロセスである。
【００２６】
そして、一定時間経過後に、クライアント２側に登録されたブックマークによる対象ページへの直接アクセスを抑制するため、以下の処理が行われる。
Ｓ６：サーバ１において、一定時間経過後、サーバ１内のフォルダに格納された前記対象ページのファイルを抽出し、リンク元ページ中のハイパーリンクとリンク先の対象ファイル名とを変更するリンク変更を行う。
【００２７】
具体的に、サーバ１内のフォルダにある対象ファイル「ＢＢＢ」を「ＣＣＣ」にファイル名を変更し、かつ「ＡＡＡ］ページの中のリンクを「ＣＣＣ」ページへのリンクに変更する。ここで、「ＢＢＢ」と「ＣＣＣ］はリンク先の名称が異なるだけでＷｅｂページ上の表示内容は同一である。
【００２８】
サーバ１において以上の変更がなされた後に、クライアント２／サーバ１間で閲覧ページの要求／応答について、Ｓ７以降の処理がなされる。
Ｓ７：クライアント２のサイト閲覧者は、登録したブックマークを使用し、マウスをクリックすることによって、「ＢＢＢ」ページの閲覧要求をサーバ１に行う。
Ｓ８：それを受けてサーバ１では、フォルダに格納されている対象ファイルの名称が、Ｓ６の処理で、「ＢＢＢ」から「ＣＣＣ」に変更されているため、検索の結果、コンテンツ「ＢＢＢ」ページは未検出となり、「該当ページ無し」をクライアント２に応答する。
Ｓ９：クライアント２では、「該当ページ無し」エラーを表示し、さらにマウスのクリックによる最初のトップページへの移動を促す画面を表示する。サイト閲覧者によるクリックによって、そのトップページ画面「ＡＡＡ」ページが閲覧要求される。
Ｓ１０：サーバ１では、「ＡＡＡ」ページを応答する。
Ｓ１１：クライアント２では、その「ＡＡＡ」 ページが表示される。
Ｓ１２：クライアント２において、表示された「ＡＡＡ」 ページの中の「 ＣＣＣ」 リンクをクリックして、閲覧要求を行う。
Ｓ１３：サーバ１は、「ＣＣＣ」 ページを応答。
Ｓ１４：クライアント２では、結果的にコンテンツが「ＢＢＢ」と同一である「ＣＣＣ」ページが表示されることとなる。
【００２９】
以降、一定の間隔でリンク先と対象ファイル名を変更する。
【００３０】
つぎに、リンク先に、中継ページを介在させたブックマーク無効化制御方式について説明する。
【００３１】
図３は、本発明の実施の形態になるブックマーク無効化制御方式（その２）の動作原理を示す。本実施例では、リンク元ページ内のハイパーリンクとして、２次リンクを備えたページを表示し、この２次リンクページから対象のコンテンツのファイルを呼び出す方式について示している。
Ｓ２１：サーバ１は、インターネット３を介し、クライアント２のサイト閲覧者からの「ＡＡＡ」ページに対する閲覧要求を受けてフォルダから該当ページを検索し、当該「ＡＡＡ」ページを応答する。
Ｓ２２：クライアント２では、サーバ１から送信された「ＡＡＡ」ページが、ダウンロードされ、ブラウザによって画面に表示される。
Ｓ２３：その「ＡＡＡ」ページ中に張られた「ＢＢＢ」ページへのリンクをマウスでクリックすることよって、サーバ１に「ＢＢＢ」ページを閲覧要求する。
Ｓ２４：それを受けて、サーバ１は、フォルダ４０から該当ページを検索し、当該「ＢＢＢ」ページの中継ページとして設定した「ＺＺＺ」 ページを応答する。
Ｓ２５：クライアント２では、受信した「ＺＺＺ」ページが画面に表示されると同時に、自動的に「ＢＢＢ」 ページが閲覧要求される。
Ｓ２６：サーバ１は、「ＢＢＢ」 ページを応答する。
Ｓ２７：クライアント２では、「ＢＢＢ」 ページが表示され、サイト閲覧者によってブックマークとして登録される。
【００３２】
一定時間が経過した後に、Ｓ２８以降の処理が行われる。
Ｓ２８：サーバ１において、一定時間経過後、サーバ１内のフォルダに格納された前記対象ページのファイルを抽出し、リンク元である中継ページ中のハイパーリンクとリンク先の対象ファイル名とを変更するリンク変更処理を行う。
【００３３】
具体的に、サーバ１内のフォルダにある対象ファイル「ＢＢＢ」を「ＣＣＣ」にファイル名を変更し、かつ「ＺＺＺ］ページの中の「ＢＢＢ」リンクを「ＣＣＣ」に変更する。ここで、「ＢＢＢ」と「ＣＣＣ］はリンク先の名称が異なるだけでＷｅｂページ上の表示内容は同一である。
【００３４】
サーバ１において以上の変更処理がなされた後に、Ｓ２９以降の処理が実行される。
Ｓ２９：クライアント２のサイト閲覧者は、登録したブックマークを使用して、マウスをクリックすることによって、「ＢＢＢ」ページの閲覧要求をサーバ１に対して行う。
Ｓ３０：それを受けてサーバ１では、ウエブフォルダ４０の対象ファイルの名称が、「ＢＢＢ」から「ＣＣＣ」に変更されているため、検索の結果、コンテンツ「ＢＢＢ」ページは未検出となり、「該当ページ無し」をクライアント２に応答する。
Ｓ３１：クライアント２では、「該当ページ無し」エラーを表示し、さらにマウスのクリックによる最初のトップページへの移動を促す画面を表示する。サイト閲覧者によるクリックによって、そのトップページ画面「ＡＡＡ」ページが閲覧要求される。
【００３５】
以降の動作は、方式１と同様である。
【００３６】
方式１の場合、「ＡＡＡ」ページを開いたままのＷｅｂサイト閲覧者が一定時間後に操作した場合、「該当ページ無し」エラーとなってしまう。これに対し、方式２の場合、目的のページは、常に中継ページからリンクされるため、ブックマーク等により直接「ＢＢＢ」ページを参照しようとした閲覧者はエラーとなるが、「ＡＡＡ」からの要求である限り、一定時間経過後も常に正しいリンクが成立することとなる。
【００３７】
図４は、本発明の実施の形態になる未検出によるエラー画面の表示例を示す。本実施例では、クライアント２において、サイト閲覧者がブックマークを使用して、サーバ１に指定のページを要求した際に、検索の結果、未検出エラーとしてのサーバ１からの応答画面を表示させる例を示している。
【００３８】
「ご指定のページは移動されました。ご指定のページは最初のページ以外から表示することはできません。」と表示し、「最初のページへ移動」のクリックボタンの押下を誘導する。
【００３９】
つぎに、図５〜８を用いて、本発明のブックマークの無効化制御プログラム１０によるリンク先ファイル名およびコンテンツ内のリンク変更処理についてのフローチャートを説明する。
【００４０】
図５は、本発明の実施の形態になる遷移先ファイル名及びコンテンツ内のリンク変更処理フローを示す。本例は、リンク変更に関するメインの処理を示している。ＯＳ（Operating System）のタスクスケジューラ等のタイマー機能により、処理の起動がかけられ、以下のルーチン処理は、一定時間ごとに自動的に実行される。
【００４１】
まず、ステップＳ４１において、遷移先（リンク先）のファイル名の変更処理スクリプトを実行し（図６で説明）、つぎのステップＳ４２において，遷移元（リンク元）ファイル内の遷移先 (リンク先）リンク名の変更処理スクリプトを実行し (図７で説明）、そしてステップＳ４３において、変更前遷移先（リンク先）ファイルの削除処理のスクリプトを実行する (図８で説明）。
【００４２】
図６は、本発明の実施の形態になる遷移先（リンク先）ファイル名の変更処理フローを示す。まず、ステップＳ５１において、スクリプト起動時に、タイムスケジューラ等のＯＳのタイマー機能から日時情報を取得し、フォルダに一時的に日時情報ファイルとして出力し、保持しておく処理を行う。日時情報（ＹＹＹＹＭＭＤＤＳＳ：年月日時分秒）は、例えば、２００４０６１０１９２１４８（２００４年６月１０日１９時２１分４８秒）が取得され、ファイルに出力される。
【００４３】
上記のように日時情報をファイルに保持させておくのは、リンク元ページ内のハイパーリンクとリンク先のファイル名の変更処理に適用する際に同期を取るためである。
【００４４】
つぎに、ステップＳ５２において、ファイル更新があるかどうかの判定を行う。クライアント２の利用者がコンテンツの更新及び新規追加を行う場合、ファイル名に日時を意識する必要はない。利用者は原資ファイル名のみのファイルをアップロードすることによりファイル名の日時項目については、”ファイル名の変更処理スクリプト”が日時項目を付加し、自動的に公開用のコンテンツとする。
【００４５】
また、遷移元（リンク元）となるｈｔｍｌファイルの記述についても、利用者は、リンク先となる原資ファイル名のみを追加したファイルをアップロードすることで、”遷移元ファイル内の遷移先リンク名変更処理スクリプト”が遷移先ｈｔｍｌファイル名に対応するリンクファイル名称を自動的に設定する。
【００４６】
ステップＳ５２において、ファイル更新がある場合は、ステップＳ５３に進み、既存ファイルのコピーを作成する。本例では、変更処理は、別ファイルを作成し、そのコピーファイルをもとに処理することによって、同時に進行している検索処理に影響を与えないようにしている。実施例では、２００４０６１０１８２０４２ＢＢＢ．ｈｔｍｌのコピーファイルは、２００４０６１０１８２０４２ＢＢＢ＿ｔｍｐ．ｈｔｍｌと表される。
【００４７】
そして、ステップＳ５４において、事前に取得している日時情報をファイルから取得して、コピーしたファイルのファイル名を変更する。例えば、２００４０６１０１８２０４２ＢＢＢ＿ｔｍｐ．ｈｔｍｌのコピーファイルは、２００４０６１０１９２１４８ＢＢＢ．ｈｔｍｌとファイル名が変更される。
【００４８】
一方、ステップＳ５２において、ファイル更新がない場合、ステップＳ５５に進み、ファイル名に日時情報を付加する。例えば、ＢＢＢ．ｈｔｍｌファイルは、日時情報が付加されて２００４０６１０１９２１４８ＢＢＢ．ｈｔｍｌとファイル名に日時が追加された表示となる。
【００４９】
以上、日時情報が付加されていない原資ファイル名のみのファイル（ＢＢＢ．ｈｔｍｌ）が存在した場合、新規ファイルの追加またはファイル内容の更新が発生したとし、ファイル名の置換えではなく、新規ファイルとしてファイル名に日時情報を付加する処理を行う。
【００５０】
図７は、本発明の実施の形態になる遷移元ファイル内の遷移先（リンク先）ファイル名の変更処理フローを示す。まず、ステップＳ６１において、日時情報をファイルから取得し（例えば、２００４０６１０１９２１４８）、つぎのステップＳ６２において、既存ファイルからのコピーを作成する（例えば、ＡＡＡ．ｈｔｍｌファイルのコピーは、ＡＡＡ＿ｔｍｐ．ｈｔｍｌと表示）。
【００５１】
そして、ステップＳ６３において、ＡＡＡ＿ｔｍｐ．ｈｔｍｌファイルから”＜ａ  ｈｒｅｆ”タグを検索し、以降に続く遷移先（リンク先）対象のファイル名から日時部分のみを事前に取得した日時情報に置換する。なお、＜ａはアンカータグでリンクを形成するタグであり、ｈｒｅｆはリンク先を指定する属性を示している。
【００５２】
例えば、＜ａ  ｈｒｅｆ＝”２００４０６１０１８２０４２ＢＢＢ．ｈｔｍｌ”〜  の日時部分のみが
＜ａ  ｈｒｅｆ＝”２００４０６１０１９２１４８ＢＢＢ．ｈｔｍｌ”〜  へと変更される。
【００５３】
なお、原資ファイル名のみの参照先（日時項目無し）が発見された場合には、新規リンクと判断し、日時情報が付加される。
【００５４】
上記の処理ステップは、遷移元ファイルの終端まで繰り返される。
【００５５】
さらに、ステップＳ６４において、コピーファイル（例  ＡＡＡ＿ｔｍｐ．ｈｔｍｌ）が、変更ファイル（例  ＡＡＡ．ｈｔｍｌ）に置換される。
【００５６】
図８は、本発明の実施の形態になる変更前遷移先ファイルの削除処理フローを示す。
【００５７】
ステップＳ７１において、変更される前の遷移先( リンク先）の既存ファイルが削除される。
【図面の簡単な説明】
【００５８】
【図１】本発明の実施の形態になるブックマーク無効化の基本システム構成を示す図である。
【図２】本発明の実施の形態になるブックマーク無効化制御方式（その１）の動作原理を示す図である。
【図３】本発明の実施の形態になるブックマーク無効化制御方式（その２）の動作原理を示す図である。
【図４】本発明の実施の形態になる未検出によるエラー画面の表示例を示す図である。
【図５】本発明の実施の形態になる遷移先ファイル名及びコンテンツ内のリンク更新処理フローを示す図である。
【図６】本発明の実施の形態になる遷移先（リンク先）ファイル名の変更処理フローを示す図である。
【図７】本発明の実施の形態になる遷移元ファイル内の遷移先（リンク先）ファイル名の変更処理フローを示す図である。
【図８】本発明の実施の形態になる変更前遷移先ファイルの削除処理フローを示す図である。
【符号の説明】
【００５９】
１  サーバ
２  クライアント
３  インターネット
１０  無効化制御プログラム
１１  一時ファイル作成部
１２  リンク変更部
１３  ファイル置換部
【図１】
2006058978.tif 000003
【図２】
2006058978.tif 000004
【図３】
2006058978.tif 000005
【図４】
2006058978.tif 000006
【図５】
2006058978.tif 000007
【図６】
2006058978.tif 000008
【図７】
2006058978.tif 000009
【図８】
2006058978.tif 000010